(57)【要約】【課題】   変調可能式電圧安定化装置を提供することにある。【解決手段】   出力電圧を変調させるメカニズムに用い、デューティーサイクルの変調と制御信号の変調の二つの実施方法を含み、デューティーサイクルの変調メカニズムは、異なるデューティーサイクルのパルス信号を利用して抵抗静電容量回路網で異なる電圧信号を発生させ、並びに、電圧安定化後、制御電圧を得ることができ、この制御電圧と抵抗回路網にキルヒホフ（Ｋｉｒｃｈｈｏｆｆ）電流の法則を利用すると、本来の出力電圧を変調して新しい出力電圧を発生でき、制御信号の変調は電界効果トランジスタスイッチを利用して抵抗回路網を制御し、更に抵抗回路網とキルヒホフ（Ｋｉｒｃｈｈｏｆｆ）電流の法則を利用すると、本来の出力電圧を新しい出力電圧に変調できる。【選択図】    図２
2008072894.tif 000002
【特許請求の範囲】
【請求項１】
一種の変調可能式電圧安定化装置であって、
直流電源の電圧変換器で、且つ、入力電圧側、出力電圧側、及び、基準電圧側を含み、前記入力電圧側は電力の入力に用い、また、前記出力電圧側は電力の出力に用い、前記基準電圧側は安定した固定電圧を提供する電圧変換器、及び、
パルス幅変調信号の入力を提供するために用いるパルス信号の入力側と、
前記パルス信号の入力側が入力した特定デューティーサイクルを有するパルス幅変調の信号の特定電圧を有する信号出力に調整するフィルターと、
演算増幅器を含み、且つ、前記演算増幅器の高電位側が前記フィルターに電気的に接続し、前記演算増幅器の低電位側が前記演算増幅器の出力側に電気的に接続することで負帰還状態を形成する電圧フォロワ、及び、
第１分圧抵抗、第２分圧抵抗、及び、第３分圧抵抗を含み、前記第１分圧抵抗の一側が前記電圧フォロワの演算増幅器の出力側に電気的に接続し、前記第１分圧抵抗の他側、前記第２分圧抵抗の一側、及び、前記第３分圧抵抗の一側が共同で基準電圧側に電気的に接続し、前記第３分圧抵抗の他側が接地側に電気的に接続し、前記第２分圧抵抗の他側が前記出力電圧側に電気的に接続する分圧回路を包括する出力電圧の制御器を含むことを特徴とする、変調可能式電圧安定化装置。
【請求項２】
請求項１に記載の変調可能式電圧安定化装置において、前記電圧変換器は集積回路のチップ内に統合され、前記集積回路のチップは集積回路素子で、また、帰還側、第１ポート、及び、第２ポートを含み、前記帰還側が前記基準電圧側を形成し、前記第１ポートと前記第２ポートが前記入力電圧側と前記出力電圧側を形成することを特徴とする、変調可能式電圧安定化装置。
【請求項３】
請求項１に記載の変調可能式電圧安定化装置において、前記フィルターは抵抗素子と静電容量素子を含み、且つ、前記抵抗素子の一側が前記パルス信号の入力側に電気的に接続し、前記抵抗素子の他側が同時に前記静電容量素子の一側と前記電圧フォロワに電気的に接続し、前記静電容量素子の他側が前記接地側に電気的に接続することを特徴とする、変調可能式電圧安定化装置。
【請求項４】
請求項１に記載の変調可能式電圧安定化装置において、前記電圧変換器は昇圧電圧安定化器、降圧電圧安定化器、或いは、昇降圧電圧安定化器から選択すること特徴とする、変調可能式電圧安定化装置。
【請求項５】
請求項１に記載の変調可能式電圧安定化装置において、マイクロコントローラを更に含み、前記マイクロコントローラは前記パルス信号入力側の連続パルス信号を提供するためのパルス信号の出力側を含むことを特徴とする、変調可能式電圧安定化装置。
【請求項６】
一種の変調可能式電圧安定化装置であって、
直流電源の電圧変換器で、且つ、入力電圧側、出力電圧側、及び、基準電圧側を含み、前記入力電圧側は電力の入力に用い、また、前記出力電圧側は電力の出力に用い、前記基準電圧側は安定した固定電圧を提供する電圧変換器と、
制御器、及び、
経路選択手段、複数個の第１分流経路、及び、少なくとも一つの第２分流経路を含み、前記経路選択手段はこれら第１分流経路の各々導通状態、或いは、開路状態を選択することに用い、且つ、これら第１分流経路と前記第２分流経路は各々少なくとも一つの抵抗器に電気的に直列に接続し、これら第１分流経路の一側は各々接地側に電気的に直列に接続し、これら第１分流経路の他側と前記第２分流経路の一側は同時に基準電圧側まで電気的に接続し、前記第２分流経路の他側は前記出力電圧側まで電気的に接続する分圧回路を包括する出力電圧の制御器を含み、
前記基準電圧側は固定電圧源の提供に用い、且つ、前記制御器は前記経路選択手段がこれら第１分流経路の各々導通状態、或いは、開路状態の選択を制御することを特徴とする、変調可能式電圧安定化装置。
【請求項７】
請求項６に記載の変調可能式電圧安定化装置において、前記経路選択手段には各スイッチ素子が各々各対応する第１分流経路まで電気的に直列に接続する複数個のスイッチ素子、及び、各スイッチ素子の各々オン状態、或いは、オフ状態の選択を制御して対応する第１分流経路が導通、或いは、開路とする対応状態を選択する制御器を含むことを特徴とする、変調可能式電圧安定化装置。
【請求項８】
請求項７に記載の変調可能式電圧安定化装置において、前記制御器に各スイッチ素子を制御する信号を提供するマイクロコントローラを更に含むことを特徴とする、変調可能式電圧安定化装置。
【請求項９】
請求項６に記載の変調可能式電圧安定化装置において、前記経路選択手段は各対応する第１分流経路の導通状態、或いは、開路状態に制御するマルチプレクサ、及び、前記制御器は前記マルチプレクサを制御して対応する第１分流経路が導通、或いは、開路とする対応状態を選択する制御器を含むことを特徴とする、変調可能式電圧安定化装置。
【請求項１０】
請求項６に記載の変調可能式電圧安定化装置において、前記電圧変換器は集積回路のチップ内に統合され、前記集積回路のチップは集積回路素子で、また、帰還側、第１ポート、及び、第２ポートを含み、前記帰還側が前記基準電圧側を形成し、前記第１ポートと前記第２ポートが前記入力電圧側と前記出力電圧側を形成することを特徴とする、変調可能式電圧安定化装置。
【請求項１１】
請求項６に記載の変調可能式電圧安定化装置において、前記電圧変換器は昇圧電圧安定化器、降圧電圧安定化器、或いは、昇降圧電圧安定化器から選択すること特徴とする、変調可能式電圧安定化装置。
【請求項１２】
請求項６に記載の変調可能式電圧安定化装置において、前記スイッチ素子はMOSスイッチ、或いは、トランジスタスイッチといった電子スイッチから選択すること特徴とする、変調可能式電圧安定化装置。
【発明の詳細な説明】
【技術分野】
【０００１】
本発明は、変調可能式電圧安定化装置に関り、特に、電圧出力の変調と電圧安定化に使用される装置で、多種類の出力電圧の切換に用い、並びに２種類の異なる方法を提供することでこの目的を達成し、実施例１は、特にパルス信号のデューティーサイクル（Ｄｕｔｙ Ｃｙｃｌｅ）を調整するだけで出力電圧を線形変調でき、実施例２では、特に電界効果トランジスタの制御を利用するだけで出力電圧変調の目的を達成できることにある。
【背景技術】
【０００２】
現在の電子回路技術は、常に各種異なるシステムとモジュールを組み合わせることで機能が更に複雑となり、動作が更に効率と機能が多様化な特性を完成できる。しかしながら異なるシステムとモジュール間に同じ動作電圧を有するわけではなく、ある種特定システム或いはモジュールがその特定目的を達するため昇圧或いは降圧の動きを行う必要がある。本発明の電圧変調技術では、この電圧変調を容易に各種システムとモジュールの間に運用することができ、その他にも本発明では電圧の線形変調と多電圧選択変調を行うことができ、電圧変調は単一電圧変調に制限されることないため、効率的で柔軟性に富んだ電圧変調方法である。
【０００３】
これにより、本発明の発明者は従来の出力電圧変調の欠陥に鑑み、効率性と利便性を兼ね備えた電圧変調方法を発明するに至った。
【発明の開示】
【発明が解決しようとする課題】
【０００４】
本発明の主要な目的は、某システム或いはモジュールの電圧出力を変調することに用い、この変調により容易に出力電圧が異なるレベルの変調を行うことができ、更に異なるシステム或いはモジュールを直列接続できることにある。
【０００５】
本発明的の別の目的は、変調信号のデューティーサイクル（Ｄｕｔｙ Ｃｙｃｌｅ）の変更により出力電圧を変更でき、且つ両者の関係は線形で、有効的に出力したい出力電圧を直接変調できることにある。
【０００６】
さらに、本発明の別の目的は、トランジスタスイッチで分圧回路の構造を変更して、出力電圧変調の目的を達成できることにある。
【課題を解決するための手段】
【０００７】
上述の目的を達成するため、本発明は、一種の電圧変調に用いる回路装置で、変調出力電圧の変調に用い、少なくともパルス信号入力、フィルター、電圧フォロワ（或いは緩衝増幅器と呼ばれる）及び分圧回路を包括するデューティーサイクル（Ｄｕｔｙ Ｃｙｃｌｅ）の変調メカニズムを含み、パルス信号の入力はデューティーサイクル（Ｄｕｔｙ Ｃｙｃｌｅ）の調整及びフィルターを通じて異なる制御電圧信号を生じることができ、この電圧制御信号は電圧フォロワにより電圧安定化した後、最終的に分圧回路を経由すると共に固定の基準電圧を利用して本来の出力したい電圧レベルに変調動作を行わせる。
【０００８】
前記分圧回路は、設計者により異なる抵抗値を指定することで異なる電圧範囲の電圧変調を得ることができ、その他にも前記パルス信号はデューティーサイクル（Ｄｕｔｙ Ｃｙｃｌｅ）の週期変調を通じて直接出力電圧の変調に影響するため、線形変調の特性を具備する。
【０００９】
前記電圧変調メカニズムは、更に一歩進んでトランジスタスイッチで電圧変調の抵抗変調回路内の抵抗分布を制御でき、更にこの抵抗分布の違いを利用して異なる変調電圧を得ることができ、前記トランジスタスイッチでの制御は、制御器を利用して制御する。
【００１０】
前記トランジスタスイッチで電圧変調メカニズムを制御することは、抵抗値も設計者が調整することができ、且つ出力電圧変調の柔軟性を増加するため、異なる電圧出力の変調選択に応じてその他分圧用抵抗及びその制御トランジスタを増加することができる。
【００１１】
当該技術を熟知する者に本発明の目的、特徴及び効果について理解していただくため、下記の具体的な実施例を介し付属の図面を組み合わせることで、本発明に対する詳細な説明を後記のとおり行うものである。
【００１２】
図１は、本発明の変調可能式電圧安定化装置の素子関係図である。本発明の変調可能式電圧安定化装置は、主に電圧変換器（DC-DC Converter）１が出力電圧の制御器２に電気的に接続することで、変調可能な直流電圧変換メカニズムを達成することにある。前記出力電圧の制御器２は、基準電圧側１００及び出力電圧側３００を具備し、前記基準電圧側１００は変調を経た直流バイアスの入力或いはスイッチメカニズムでその分圧抵抗の変更等の手段で、電圧変換器１の入力電圧側１００に入力する入力電圧Ｖｉｎのある入力電源が、前記出力電圧Ｖｏｕｔのある出力電源を調整され、並びに前記出力電圧側３００から出力する。
【００１３】
前記電圧変換器１は、主に集積回路で構成された制御器にインダクタ或いはダイオードを組み合わせることから成り、ただし昇圧電圧安定化器（ＢＯＯＳＴ）と降圧電圧安定化器（ＢＵＣＫ）の回路構造が異なるため、この発明はこの電圧変調の操作方法を強化及び簡略化するため、この電圧変換器１を必要な三端子素子のみで表示し、前記入力電圧側２００、前記出力電圧側３００及び前記基準電圧側１００を達成する。
【００１４】
図２は、本発明の変調可能式電圧安定化装置の具体的な実施例の素子関係図である。前記電圧変換器１は直流電源の電圧変換器で、例えば昇圧変換器、降圧変換器等である。更に、前記出力電圧の制御器２内にはパルス信号の入力側２１、フィルター２２、電圧フォロワ２３及び分圧回路２４を更に含む。前記パルス信号の入力側２１は前記フィルター２２まで電気的に接続し、前記フィルター２２が前記電圧フォロワ２３まで電気的に接続し、前記電圧フォロワ２３が分圧回路２４まで電気的に接続し、前記分圧回路２４が前記基準電圧側１００、前記出力電圧側３００及び接地側４００を含み、前記パルス信号の入力側２１が入力する連続パルス信号Ｖｃｔｌの電気信号は、前記フィルター２２、前記電圧フォロワ２３及び前記分圧回路２４を経由した後、前記出力電圧側３００から前記出力電圧Ｖｏｕｔのある電気信号を出力する。
【００１５】
前記本発明の変調可能式電圧安定化装置内において、前記パルス信号の入力側２１は連続パルス信号Ｖｃｔｌの入力を提供することに用い、前記フィルター２２は特定デューティーサイクルを具備する前記連続パルス信号Ｖｃｔｌを特定電圧V０のある信号を調整するために用い、且つ前記フィルター２２は抵抗Ｒｍを有する抵抗素子２２ａと静電容量Ｃｍを有する静電容量素子２２ｂで抵抗静電容量効果（ＲＣ効果）を有する回路を組成でき、前記抵抗素子２２ａの一側が前記パルス信号の入力側２１に電気的に接続し、前記抵抗素子２２ａの他側が同時に前記静電容量素子２２ｂの一側と前記電圧フォロワ２３に電気的に接続し、前記静電容量素子２２ｂの他側が接地側４００に電気的に接続させることができる。前記電圧フォロワ２３は演算増幅器２３ａを含み、且つ前記演算増幅器２３ａの高電位側は前記抵抗素子２２ａに電気的に接続し、前記演算増幅器２３ａの低電位側が前記演算増幅器２３ａの出力側に電気的に接続することで負帰還状態を形成し、且つ前記演算増幅器２３ａの出力側が出力する電圧V１と前記演算増幅器２３ａの高電位側が入力する電圧V０が同じ電圧平均値を具備させることができるが、電圧V１の信号は入力電圧V０の信号により安定する。及び前記分圧回路２４は第１分圧抵抗２４ａ、第２分圧抵抗２４ｂ及び第３分圧抵抗２４ｃを含み、前記第１分圧抵抗２４ａ、前記第２分圧抵抗２４ｂ及び前記第３分圧抵抗２４ｃの抵抗値は各々抵抗Ｒ１、抵抗Ｒ２及び抵抗Ｒ３で、前記第１分圧抵抗２４ａの一側が前記電圧フォロワ２３の演算増幅器２３ａの出力側に電気的に接続し、前記第１分圧抵抗２４ａの他側、前記第２分圧抵抗２４ｂの一側及び前記第３分圧抵抗２４ｃの一側が共同で前記基準電圧側１００に電気的に接続し、前記第３分圧抵抗２４ｃの他側が前記接地側４００に電気的に接続し、前記第２分圧抵抗２４ｂの他側が前記出力電圧側３００に電気的に接続する。前記抵抗Ｒ１、前記抵抗Ｒ２と前記抵抗Ｒ３の抵抗値の比率関係は、出力電圧の変調電圧レベルの選択に用いることができるため、異なる需要に応じて調整できる。
【００１６】
前記パルス信号の入力側２１に入力する前記連続パルス信号Ｖｃｔｌは、マイクロコントローラ４内のパルス信号の出力側４１を通じて前記連続パルス信号Ｖｃｔｌを出力することで達成できる。
【００１７】
前記電圧変換器１（図１）は集積回路のチップ３内に統合され、前記集積回路のチップ３は集積回路素子で、並びに帰還側３１、第１ポート３２及び第２ポート３３を含み、前記帰還側３１は前記基準電圧側１００に電気的に接続すると共に固定電圧を提供でき、出力電圧の大きさが前記基準電圧Ｖｒｅｆの信号で、前記基準電圧側１００の基準電圧Ｖｒｅｆを定電圧とすることができ、前記第１ポート３２と前記第２ポート３３が各々前記入力電圧側２００と前記出力電圧側３００に電気的に接続する。
【００１８】
図２に図３を合わせて見ると、図３は本発明の変調可能式電圧安定化装置の具体的な実施例のパルス信号の入力側信号見取図である。前記パルス信号の入力側２１が入力する連続パルス信号Ｖｃｔｌは、前記フィルター２２の抵抗静電容量効果を経由して定電圧に近似した前記電圧V０を生じ、前記電圧V０は更に前記電圧フォロワ２３の緩衝を経た後、前記電圧V１を形成し、また前記電圧V１が最終的に前記分圧回路２４を経由した後、前記分圧回路２４と集積回路のチップ３の基準電圧Ｖｒｅｆが電気ループを形成することで対応する出力電圧Ｖｏｕｔの電気信号を得ることができる。前記パルス信号の入力側２４の連続パルス信号Ｖｃｔｌは連続で、且つそのデューティーサイクルは図３に示すようにパルス幅変調（ＰＷＭ、Ｐｕｌｓｅ Ｗｉｄｔｈ Ｍｏｄｕｌａｔｉｏｎ）を行うことができる。前記連続パルス信号Ｖｃｔｌのデューティーサイクルを（Ｄ／Ｔ）×１００％として定義し、且つデューティー時間Dは電圧信号の高電位にある時間を示し、サイクルTは前記連続パルス信号Ｖｃｔｌの１回電圧の高低電位の変換を経過することに要する時間サイクルを示し、またデューティーサイクルが高ければ（つまりＤとＴの比率を調整）高い状態で、前記連続パルス信号Ｖｃｔｌは前記フィルター２２を経過した後で得られる前記電圧ＶＯが益々高くなり、また前記電圧V１も前記電圧ＶＯに伴い変調し、この場合、ＶＯ=Ｖｃｔｒｌ×（Ｄ／Ｔ）となり、また前記分圧回路２４と集積回路のチップ３の基準電圧Ｖｒｅｆを通じて電気ループを形成し、得られる対応する出力電圧Ｖｏｕｔを前記出力電圧側３００から出力する。これにより、前記集積回路のチップ３の第１ポート３２が前記入力電圧側２００から電力信号を入力する時、前記集積回路のチップ３の第２ポート３３も異なる入力パルス信号Ｖｃｔｌに伴い対応する出力電圧Ｖｏｕｔの電力信号を出力できるため、これを介してシステムが出力した電力の電圧の大きさを調整できる。
【００１９】
前記本発明は前記連続パルス信号Ｖｃｔｌのデューティーサイクル（Duty Cycle）の調整を通じて、得た異なる電圧V１で出力電圧Ｖｏｕｔに対して線形調整を行う。前記の抵抗Ｒ１、抵抗Ｒ２、抵抗Ｒ３と基準電圧Ｖｒｅｆは固定値で、前記電圧V１はパルス幅変調によりその電圧値を調整できるため、キルヒホフ（Kirchhoff）電流の法則を利用して数１を書き出すことができる。
【００２０】
（数１）
[（V１-Ｖｒｅｆ）/Ｒ１]+[（Ｖｏｕｔ-Ｖｒｅｆ）/Ｒ２]=[Ｖｒｅｆ/Ｒ３] …………… （a）
【００２１】
このため、数１に基づいて前記電圧V１と電圧Ｖｏｕｔの線形変調関係を確立でき、つまり前記数１を通じて前記出力電圧Ｖｏｕｔの大きさを得ることができ、また前記電圧V１の電圧値もまた前記連続パルス信号ＶｃｔｌのデューティーサイクルDの変調を通じて達成できるため、本発明はＰＷＭ技術を利用して入力パルス信号のデューティーサイクルを変調できることで、出力電圧について電圧の線形変調を行い、前記分圧回路２４に特定出力電圧Ｖｏｕｔの電気信号を生じさせることができる。
【００２２】
図１及び図４について、図４は本発明の電圧変調装置をもう一つの具体的な実施例に用いた素子関係図である。前記出力電圧の制御器２のもう一つの実施態様は制御器２５及び分圧回路２６を含む。前記制御器２５は第１制御側２５ａ及び第２制御側２５ｂの制御素子を具備し、またマイクロコントローラを通じて前記第１制御側２５ａ及び前記第２制御側２５ｂの信号入力を制御することで、第１スイッチ２６ｄ及び第２スイッチ２６ｅのオン或いはオフの目的を達することができる。及び前記分圧回路２６は第１分圧抵抗２６ａ、第２分圧抵抗２６ｂ、第３分圧抵抗２６ｃ、第１スイッチ２６ｄ及び第２スイッチ２６ｅを具備し、前記第１分圧抵抗２６ａ、第２分圧抵抗２６ｂ及び第３分圧抵抗２６ｃは各々抵抗Ｒ４１、抵抗Ｒ４２及び抵抗Ｒ４３を有する抵抗器で、前記第１スイッチ２６ｄと第２スイッチ２６ｅは例えばMOSスイッチ、トランジスタスイッチ等といった各々電子スイッチで、且つ前記第１分圧抵抗２６ａ、前記第１スイッチ２６ｄと前記接地側４００は順序とおり電気的に直列に接続し、前記第２分圧抵抗２６ｂ、前記第２スイッチ２６ｅと前記接地側４００は順序とおり電気的に直列に接続し、前記第１制御側２５ａと前記第２制御側２５ｂが各々前記第１スイッチ２６ｄと前記第２スイッチ２６ｅの制御側に電気的に接続し、前記第１分圧抵抗２６ａの他側、前記第２分圧抵抗２６ｂの他側及び前記第３分圧抵抗２６ｃの一側が同時に前記基準電圧側１００まで電気的に接続し、前記第３分圧抵抗２６ｃの他側が前記出力電圧側３００まで電気的に接続する。
【００２３】
前記制御器２５は、各々前記第１制御側２５ａと前記第２制御側２５ｂを通じて各々対応して前記第１スイッチ２６ｄと第２スイッチ２６ｅのオン或いはオフを選択でき、またこれにより前記第１分圧抵抗２６ａと第２分圧抵抗２６ｂの電気導通を選択し、同時に前記分圧回路２６の等価抵抗を選択する。このため、制御器２５を通じて前記分圧回路２６の各々の分路の分圧を決定した後、前記基準電圧側１００の基準電圧Ｖｒｅｆの電気信号と電気ループを形成し、また出力電圧側３００に1ペアの出力電圧Ｖｏｕｔを具備すべき電気信号を出力させることができる。
【００２４】
同様に、前記電圧変換器１（図１）は前記集積回路のチップ３内に統合することができ、且つ前記帰還側３１が前記基準電圧側１００に電気的に接続すると共に固定電圧を出力でき、出力した電圧の大きさが前記基準電圧Ｖｒｅｆの信号とし、前記基準電圧側１００の基準電圧Ｖｒｅｆが定電圧で、また前記第１ポート３２と前記第２ポート３３が各々前記入力電圧側２００と前記出力電圧側３００に電気的に接続する。
【００２５】
更に図４を参考にすると、前記制御器２５が前記分圧回路２６の第１スイッチ２６ｄと前記第２スイッチ２６ｅを同時にオンにするのを選択した時、前記分圧回路２６内の第１分圧抵抗２６ａ、第２分圧抵抗２６ｂ及び第３分圧抵抗２６ｃが抵抗回路網を形成し、また同様にキルヒホフ（Kirchhoff）電流の法則を利用して、下記の数２を書き出すことができる。
【００２６】
（数２）
Ｖｒｅｆ[（１/Ｒ４１）+（１/Ｒ４２）]=（Ｖｏｕｔ-Ｖｒｅｆ）/Ｒ４３ …………… （b）
【００２７】
その他、前記制御器２５が前記分圧回路２６の第１スイッチ２６ｄのオンと前記第２スイッチ２６ｅのオフを選択した時、前記分圧回路２６内の第１分圧抵抗２６ａ及び第３分圧抵抗２６ｃが抵抗回路網を形成し、また同様にキルヒホフ（Kirchhoff）電流の法則を利用して、下記の数３を書き出すことができる。
【００２８】
（数３）
Ｖｒｅｆ[（１/Ｒ４１）]=（Ｖｏｕｔ-Ｖｒｅｆ）/Ｒ４３ …………… （c）
【００２９】
これにより、数２と数３のデモを通じ、前記分圧回路２６の各分圧抵抗の導通制御を介して、前記集積回路のチップ３の出力電圧側３００を対応する出力電圧Ｖｏｕｔを有する電気信号の出力に変換することができ、同時に第１ポート３２へ入力し、且つ入力電圧Ｖｉｎを有する電力信号を対応する出力電圧Ｖｏｕｔを有する電力信号の出力に変換することに達成できる。
【００３０】
更に、前記の分圧回路２６が各分圧抵抗の導通制御を通じて、出力電圧Ｖｏｕｔを制御するため、これらスイッチはマルチプレクサで代替することができ、また前記制御器２５は前記マルチプレクサのチャンネルを選択することで、これら分圧抵抗の導通制御を達成できる。
【００３１】
本発明は、具体的な実施例で上記のとおりに開示したが、開示した具体的な実施例が本発明として限定的に用いることではなく、当該記技術を熟知する者は本発明の精神と範囲に基づき各種の改変と修飾を行なうことができ、行なった改変或いは修飾も全て本発明の保護範疇にあり、本発明の保護範囲は、特許請求の範囲に定義するものを基準とする。
【図面の簡単な説明】
【００３２】
【図１】本発明の変調可能式電圧安定化装置の素子関係図である。
【図２】本発明の変調可能式電圧安定化装置の具体的な実施例の素子関係図であ             る。
【図３】本発明の変調可能式電圧安定化装置の具体的な実施例のパルス信号の入             力側信号見取図である。
【図４】本発明を電圧変調装置に用いたもう一つの具体的な実施例の素子関係図            である。
【符号の説明】
【００３３】
１  電圧変換器
２  出力電圧の制御器
２１  パルス信号入力側
２２  フィルター
２２ａ  抵抗素子
２２ｂ  静電容量素子
２３  電圧フォロワ
２３ａ  演算増幅器
２４  分圧回路
２４ａ  第１分圧抵抗
２４ｂ  第２分圧抵抗
２４ｃ  第３分圧抵抗
２５  制御器
２５ａ  第１制御側
２５ｂ  第２制御側
２６  分圧回路
２６ａ  第１分圧抵抗
２６ｂ  第２分圧抵抗
２６ｃ  第３分圧抵抗
２６ｄ  第１スイッチ
２６ｅ  第２スイッチ
３  集積回路チップ
３１  帰還端
３２  第１ポート
３３  第２ポート
４  マイクロコントローラ
４１  パルス信号出力側
１００  基準電圧側
２００  入力電圧側
３００  出力電圧側
４００  接地側
Ｖｃｔｌ  パルス信号
Ｖｒｅｆ  基準電圧
Ｖｉｎ  入力電圧
Ｖｏｕｔ  出力電圧
Ｒ４１  抵抗
Ｒ４２  抵抗
Ｒ４３  抵抗
Ｄ  デューティー時間
Ｔ  サイクル
【図１】
2008072894.tif 000003
【図２】
2008072894.tif 000004
【図３】
2008072894.tif 000005
【図４】
2008072894.tif 000006